(57)【特許請求の範囲】
【請求項１】
使用者の足が挿入される靴本体に対して、面ファスナーおよび結束具を介して着脱可能なアウトソールを備えた靴であって、
前記靴本体は、その底面の外部に面ファスナーの片面を備えるとともに、バンド部およびバックル部からなる結束具における前記バンド部を挿通させる貫通孔を備えたバンド保持具を保持し、
前記アウトソールは、その靴本体側に面ファスナーの他方の片面を備えるとともに、  前記結束具の前記バンド部が前記バンド保持具を挿通して折り返されて前記バックル部に通すことが可能であるように前記バンド部が貫通させられる二つの貫通孔を備えた板部材を備え、
前記結束具の前記バンド部が前記バンド保持具を緩みなく結束した場合のバックル部は、前記アウトソールにおける靴本体側の内方へ位置するように形成したアウトソール着脱靴。
【請求項２】
前記板部材は、前記バックル部より一回り大きく形成し、  二つの貫通孔は、前記バックル部より一回り小さく形成するとともに、その貫通孔の周縁を鋭利に形成した請求項１に記載のアウトソール着脱靴。
【請求項３】
使用者の足が挿入される靴本体に対して、面ファスナーおよび結束具を介して着脱可能なアウトソールを備えたアウトソール着脱靴に用いられるアウトソール取り外し補助具であって、
前記アウトソール着脱靴における前記靴本体は、その底面の外部に面ファスナーの片面を備えるとともに、バンド部およびバックル部からなる結束具における前記バンド部を挿通させる貫通孔を備えたバンド保持具を保持し、
前記アウトソールは、その靴本体側に面ファスナーの他方の片面を備えるとともに、  前記結束具の前記バンド部が前記バンド保持具を挿通して折り返されて前記バックル部に通すことが可能であるように前記バンド部が貫通させられる二つの貫通孔を備えた板部材を備え、
前記結束具の前記バンド部が前記バンド保持具を緩みなく結束した場合のバックル部は、前記アウトソールにおける靴本体側の内方へ位置するように形成し、
前記のアウトソール取り外し補助具は、操作者の握り手となる土台部と、その土台部の一端から延ばして設けた嵌合部と、その嵌合部を収納するとともに前記土台部と着脱自在な筒状のキャップと、を備え、
前記の嵌合部は、その内部空間が前記のバックル部より一回り大きな略直方体形とし、  前記のキャップは、前記の土台部と結合する結合側から前記の嵌合部側に向かって先細りとなる形状をなし、
前記の土台部には、その軸方向と直角に交差する貫通孔を備え、  その貫通孔は、前記のキャップにおける軸方向の中央付近の外形寸法と同じ内寸としたアウトソール取り外し補助具。
【発明の詳細な説明】
【技術分野】
【０００１】
本発明は、アウトソールが着脱可能な靴、およびそのアウトソールを装着した靴からアウトソールを取り外す際に用いる補助具に関するものである。
【背景技術】
【０００２】
一般的に、靴は、靴本体にアウトソールを備えているが、アウトソールは常に地面に接し摩耗するため、靴本体に比して消耗が早い。
釣りや登山など、特定の目的に沿った靴においては、用途・場所によって、更に適したアウトソールが異なることがある。例えば、釣り靴であれば、水辺から離れて釣を行うときは、通常のゴム底靴が適しているが、湿った岩場や苔の生えた浅瀬などで釣りをするときは、滑り止め効果の極めて高いフェルト底靴が好ましい。
このようにアウトソールの消耗または、用途・場所に合わせて、アウトソールを交換することができる靴が求められている。
アウトソールが交換できる靴としては、例えば、靴本体とアウトソールとを面ファスナーで着脱可能とし、さらに靴本体とアウトソールの夫々に重合壁を設け、外れにくい構造を備えたものがある（特許文献１）。
また、靴本体とアウトソールとの着脱にゴムピンを用いたものもある（特許文献２）。
【先行技術文献】
【特許文献】
【０００３】
【特許文献１】特開平８−２０５９０７号公報
【特許文献２】特開２００６−２８９０６３号公報
【発明の概要】
【発明が解決しようとする課題】
【０００４】
前述した従来技術には、以下のような改良すべき点があると考えられる。
まず、特許文献１に記載された靴では、アウトソールが面ファスナーのみで固定されており、分離する可能性があるので、歩行時にアウトソールが分離することを完全に防止したい。
特許文献２に記載された靴では、歩行することなどによって部材に欠損や歪み等が生じた場合には、アウトソールを取り外すことが困難になる。
【０００５】
本発明は、靴本体とアウトソールとを容易で確実に結合することができ、しかもアウトソールの取り外しも容易にできる技術を提供することにある。
【課題を解決するための手段】
【０００６】
（第一の発明）
第一の発明は、使用者の足が挿入される靴本体（１０）に対して、面ファスナー（１２，２２）および結束具（３０）を介して着脱可能なアウトソール（２０）を備えた靴（５０）に係る。
すなわち、前記靴本体（１０）は、その底面の外部（１１ｂ）に面ファスナーの一方の片面（１２）を備えるとともに、バンド部（３０ｄ）およびバックル部（３０ｅ）からなる結束具（３０）における前記バンド部（３０ｄ）を挿通させる貫通孔（１３ｃ）を備えたバンド保持具（１３）を保持し、
前記アウトソール（２０）は、その靴本体（１０）側に面ファスナーの他方の片面（２２）を備えるとともに、  前記結束具（３０）の前記バンド部（３０ｄ）が前記バンド保持具（１３）を挿通して折り返されて前記バックル部（３０ｅ）に通すことが可能であるように前記バンド部（３０ｄ）が貫通させられる二つの貫通孔（２５ａ，２５ａ）を備えた板部材（２５）を備え、
前記結束具（３０）の前記バンド部（３０ｄ）が前記バンド保持具（１３）を緩みなく結束した場合のバックル部（３０ｅ）は、前記アウトソール（２０）における靴本体（１０）側へ位置するように形成したアウトソール着脱靴に係る。
【０００７】
（用語説明）
「アウトソール（２０）」とは、フェルト素材のアウトソール、ゴム素材のアウトソールなど、いずれであってもよい。
バンド保持具（１３）および結束具（３０）の組み合わせは、少なくとも一組であり、二組以上であっても構わない。ただし、一組だけの場合には靴のつま先側に設ける。アウトソールのつま先側が部分的に靴本体から剥がれた状態では、歩行時に躓くおそれが高まるからである。
【０００８】
（作用）
本願に係るアウトソール着脱靴の使用者が靴本体（１０）にアウトソール（２０）を取り付けるには、まず、靴本体（１０）の面ファスナーの片面（１２）とアウトソール（２０）の面ファスナー（２２）とをかみ合わせる。この段階で、靴本体（１０）に保持されたバンド保持具（１３）とアウトソール（２０）に備えられた板部材（２５）との位置決めを行うこととなる。
続いて、結束具（３０）のバンド部（３０ｄ）を、板部材（２５）における一方の貫通孔（２５ａ）とバンド保持具（１３）の貫通孔（１３ｃ）とを通す。そして、バンド部（３０ｄ）を折り返し、板部材（２５）における他方の貫通孔（２５ａ）を挿通させ、バックル部（３０ｅ）を通す。バンド部（３０ｄ）に緩みが無くなるまで締め付け、結束作業が完了する。その後、使用者はバックル部（３０ｅ）から出た余分なバンド部（３０ｄ）を切り落とす。すると、使用者が歩行する場合に、結束具（３０）が邪魔になることはない。
【０００９】
アウトソール着脱靴の使用者が靴本体（１０）からアウトソール（２０）を取り外す場合には、結束具（３０）のバンド部（３０ｄ）を切断する。すると、バンド部（３０ｄ）およびバックル部（３０ｅ）によって結束されていた状態が解放され、靴本体（１０）とアウトソール（２０）とは、面ファスナーの片面（１２，２２）による固定のみとなる。その固定状態は、使用者が手でアウトソール（２０）を靴本体（１０）から剥がすことで解除できる。
以上により、靴本体とアウトソールとを容易で確実に結合することができ、しかもアウトソールの取り外しも容易にできるアウトソール着脱靴となった。
【００１０】
（第一の発明のバリエーション１）
第一の発明は、前記板部材（２５）は、前記バックル部（３０ｅ）より一回り大きく形成し、  二つの貫通孔（２５ａ）は、前記バックル部（３０ｅ）より一回り小さく形成するとともに、その貫通孔（２５ａ）の周縁を鋭利に形成することとしてもよい。
【００１１】
（作用）
板部材（２５）がバックル部（３０ｅ）より一回り大きく形成されているので、バンド部（３０ｄ）およびバックル部（３０ｅ）によって結束する場合に板部材（２５）がバックル部（３０ｅ）のストッパとしての役割を果たすこととなる。
また、アウトソール着脱靴の使用者が靴本体（１０）からアウトソール（２０）を取り外す場合には、結束具（３０）のバックル部（３０ｅ）を捻る。貫通孔（２５ａ）の周縁が鋭利に形成されているので、結束具（３０）のバンド部（３０ｄ）は切断される。すなわち、アウトソール（２０）を更に容易に取り外せるアウトソール着脱靴となる。
【００１２】
（第二の発明）
第二の発明は、前記の第一の発明のバリエーション１に対して、結束具（３０）のバックル部（３０ｅ）を捻りやすいアウトソール（２０）の取り外し補助具（４０）を提供する。
すなわち、アウトソール（２０）を靴本体（１０）から取り外す際に用いる取り外し補助具（４０）であって、操作者の握り手となる土台部（４０ｄ）と、その土台部（４０ｄ）の一端から延ばして設けた嵌合部（４０ｅ）と、その嵌合部（４０ｅ）を収納するとともに前記土台部（４０ｄ）と着脱自在な筒状のキャップ（４０ｈ）と、を備えたアウトソール（２０）の取り外し補助具（４０）に係る。
前記の嵌合部（４０ｅ）は、その内部空間が前記のバックル部（３０ｅ）より一回り大きな略直方体形とし、前記のキャップ（４０ｈ）は、前記の土台部（４０ｄ）と結合する結合側から前記の嵌合部（４０ｅ）側に向かって先細りとなる形状をなす。
前記の土台部（４０ｄ）には、その軸方向と直角に交差する貫通孔（４０ｃ）を備え、その貫通孔（４０ｃ）は、前記のキャップ（４０ｈ）における軸方向の中央付近の外形寸法と同じ内寸とした。
【００１３】
（作用）
使用者が取り外し補助具（４０）を用いるときは、キャップ（４０ｈ）を外し、土台部（４０ｄ）に設けられた貫通孔（４０ｃ）に、そのキャップ（４０ｈ）を挿入する。このとき、前記キャップ（４０ｈ）は、先細り形状となっているため、前記の貫通孔（４０ｃ）を貫通しない。そのため、土台部（４０ｄ）とキャップ（４０ｈ）とで略十字形をなし、これが前記の取り外し補助具（４０）の持ち手部（４０ｉ）を構成する。
使用者は、持ち手部（４０ｉ）を握り、嵌合部（４０ｅ）の一端を、アウトソール（２０）の凹部（ｋ）を通じて、結束具（３０）のバックル部（３０ｅ）に押し当てる。このとき、嵌合部（４０ｅ）の先端が、バックル部（３０ｅ）の周縁を内包する。そして、使用者が、前記の持ち手部（４０ｉ）をねじる動きに連動して、前記の嵌合部（４０ｅ）がバックル部（３０ｅ）をねじることができる。これにより、板部材（２５）に設けられた貫通孔（２５ａ）の周縁が切断部となって、バックル部（３０ｅ）を周回していたバンド部（３０ｄ）が千切れて結束状態が解かれるので、結束具（３０）を外すことができる。
【００１４】
（取り外し補助具４０のバリエーション）
第一の発明のバリエーション１に対して結束具（３０）のバックル部（３０ｅ）を捻りやすい取り外し補助具（４０）を前述したが、第一の発明における結束具（３０）のバンド部（３０ｄ）を切断しやすい取り外し補助具を提供しても良い。
すなわち、前記の嵌合部（４０ｅ）の先端を鋭利な刃物として形成しておく。その場合の取り外し補助具は、キャップ（４０ｈ）を回転させてねじるのではなく、嵌合部（４０ｅ）にてバンド部（３０ｄ）を切断するのである。
【発明の効果】
【００１５】
第一の発明によれば、簡便で容易に入手可能な結束具を用いることで、面ファスナーによる靴本体とアウトソールとの結合を補強する構造を提供することができた。したがって、強固に靴本体とアウトソールとを結合することができ、かつ、簡単に着脱可能なアウトソールを備えた靴を提供することができた。
また、第二の発明によれば、アウトソールの結合に用いた結束具を、容易に取り外すことができる補助具を提供することができた。
【図面の簡単な説明】
【００１６】
【図１】本発明に係る第一の実施形態に係る靴の側面図および底面図である。
【図２】第一の実施形態に係る靴の分解斜視図である。
【図３】図１の靴の結合手順を示す斜視図である
【図４】図１の靴の要部断面図である。
【図５】板部材の変形例である。
【図６】（ａ）は取り外し補助具の斜視図であり、（ｂ）は取り外し補助具の持ち手部にキャップを挿通する様子を表わした図である。
【図７】（ａ）は取り外し補助具の使用方法を示す斜視図であり、（ｂ）は取り外し補助具の使用状態を示す断面図である。
【発明を実施するための形態】
【００１７】
本発明の実施の形態について、図面を参照しながら説明する。
図１に示すように、靴（５０）は、靴本体（１０）と着脱可能なアウトソール（２０）とからなる。
図２に示すように、靴本体（１０）は、アッパー部（１１）、フック面の面ファスナー（１２）、バンド保持具（１３）および、バンド保持具を覆う閉じ蓋（１４）とで構成されている。
【００１８】
アッパー部（１１）は、底面に貫通孔（１１ａ）を備え、その貫通孔（１１ａ）にバンド保持具（１３）を嵌め込む。このとき、前記貫通孔（１１ａ）は、バンド保持具（１３）が、適度に動ける程度の隙間を設けて形成することで、アウトソール（２０）の取り付け時に、バンド保持具（１３）とのズレを吸収することができる。
【００１９】
前記バンド保持具（１３）は、アッパー部材（１１）と別部材で構成せずに、アッパー部（１１）に一体成型してもよい。また、前記バンド保持具（１３）の形状は、少なくとも結束具（３０）を引っ掛けることができる形状であればよい。バンド保持具（１３）を別部材で形成する場合において、アッパー部（１１）への結合方法は、嵌合する方法のほか、接着剤などを用いて接着する方法、ピン打ちする方法、または螺合する方法などを用いてもよい。
バンド保持具（１３）は、頭部（１３ｅ）、胴部（１３ｄ）、およびその胴部（１３ｄ）に設けられた貫通孔（１３ｃ）とからなる。その貫通孔（１３ｃ）の形状は、略四角形に限定されず、略三角形、略円形でもよい。
【００２０】
フック面の面ファスナー（１２）は、アッパー部（１１）において、底面の外部（１１ｂ）に固定される。そのフック面の面ファスナー（１２）は、アウトソール（２０）において、底面の上面に固定されたループ面の面ファスナー（２２）と係合することで、靴本体（１０）とアウトソール（２０）とを結合する。前記フック面の面ファスナー（１２）は、バンド保持具（１３）を嵌め込むための貫通孔（１２ａ）が形成されている。
貫通孔（１１ａ，１２ａ）の内径は、バンド保持具（１３）の胴部（１３ｄ）の直径よりも大きいが、頭部（１３ｅ）の直径よりも小さい。
【００２１】
図に示すように、アウトソール（２０）は、ループ面の面ファスナー（２２）、アウトソール上層（２３）とアウトソール下層（２４）とからなるアウトソール層、および板部材（２５）とで構成されている。
ループ面の面ファスナー（２２）は、アウトソール（２０）において、底面の上部に固定される。そのループ面の面ファスナー（２２）は、アッパー部（１１）において、底面の外部に固定されたフック面の面ファスナー（１２）と係合することで、靴本体（１０）とアウトソール（２０）とを結合する。ループ面の面ファスナー（２２）は、貫通孔（２２ａ）が穿たれている。
【００２２】
アウトソール層は、アウトソール上層（２３）およびアウトソール下層（２４）との二層で構成されている。アウトソール上層（２３）には、貫通孔（２３ａ）が穿たれている。アウトソール下層（２４）は、その底面の接地面に貫通孔（２４ａ）が形成されている。このアウトソール上層の貫通孔（２３ａ）とアウトソール下層の貫通孔（２４ａ）とを形成することにより、アウトソールにおける接地面から靴本体方向へ凹んだ凹部（ｋ）が形成される。結束部が、凹部（ｋ）に収まることで、結束部等が直接、地面に接するのを防止する。なお、アウトソール層は二層に限定されるものではない。また、アウトソール上層（２３）とアウトソール下層（２４）は、同素材で構成してもよく、異素材で構成してもよい。
アウトソール層に、略コの字型や略Ｔ字型などの金属ピン（２６）を挿入し、その金属ピン（２６）の先端が、アウトソール（２０）の接地面（２４ｂ）に露出するように差し込んでもよい。さらなる滑り止め効果が期待できるからである。
【００２３】
板部材（２５）は、二つの貫通孔（２５ａ）が穿たれおり、アウトソール上層（２３）とアウトソール下層（２４）との層間に、接着剤またはインサート成形により固定される。
板部材（２５）には、上記二つの貫通孔（２５ａ）以外の貫通孔（２５ｇ）を形成し、また、板部材（２５）の周縁には溝（２５ｆ）を設けることが好ましい。これにより、前記の板部材（２５）が、アウトソール上層（２３）とアウトソール下層（２４）との間において回転しないように回転防止の機能を持たせることができる。
なお、板部材（２５）の素材は、結束具（３０）のバンド部（３０ｄ）を切断するという機能を備える必要があるので、ステンレス鋼などの金属部材が好ましい。ただし、金属材料であることに限定されるものではない。
【００２４】
図３に示すように、結束部は、アウトソール（２０）のつま先部および踵部に設けている。アウトソール（２０）の着脱作業を最優先に考えた場合には、結束部の数は少ないほど良く、アウトソール（２０）の固定強度を最優先に考えた場合には、結束部の数は多いほど良いが、最も合理的な数としてつま先部および踵部の２カ所としている。
この２カ所を選択したのは、つま先部は、歩行中に面ファスナー（１２および２２）の係合が外れた場合に最も危険だからであり、曲げ荷重がかかるために靴本体（１０）と前記のアウトソール（２０）とが分離しやすい部分だからである。踵部は、使用者の体重が最もかかる瞬間がある上に、つま先部との組み合わせとしては、遠い部分となるので合理的だからである。
なお、結束する部位を２カ所よりも増やす場合には、前記のつま先部および踵部に加え、たとえば土踏まず付近に設けるのが合理的である。
【００２５】
バンド保持具（１３）は、閉じ蓋（１４）によって上下方向の動きは規制されているものの、回転することはできる。また、貫通孔（１１ａ，１２ａ）の内径は、結束具（３０）の胴部（１３ｄ）の直径よりも大きいので、結束具（３０）のバンド部（３０ｄ）を、胴部（１３ｄ）およびその胴部（１３ｄ）の貫通孔（１３ｃ）へ挿通させる作業性を確保できる。
【００２６】
（結合手順）
使用者は、靴本体（１０）とアウトソール（２０）とを、面ファスナー（１２および２２）によって位置決めし、結束具（３０）を、アウトソール（２０）の接地面（２４ｂ）に形成された凹部（ｋ）から、板部材（２５）のいずれか一方の貫通孔（２５ａ）を通じ、バンド保持具（１３）に通す。そして、他方の貫通孔（２５ａ）から、前記バンド部（３０ｄ）の端部を排出し、さらにバックル部（３０ｅ）に通すことで、貫通孔（２５ａ）内部において、前記のバンド保持具（１３）を結束し、前記のバックル部（３０ｅ）を、前記の貫通孔（２５ａ）の周縁に係止する。
【００２７】
これにより、バンド保持具（１３）と、板部材（２５）とが、結束具（３０）により結束される。また、結束具（３０）のバックル部（３０ｅ）が、前記の板部材（２５）を前記の靴本体に押さえつけることで、靴本体（１０）とアウトソール（２０）とを結合することができる。  結束後は、結束具（３０）に不要な部分が生じるが、その不要な部分については、ニッパーやハサミを用いて切断する。
以上により、靴本体（１０）とアウトソール（２０）とを容易で確実に結合することができる。
【００２８】
（分離手順）
分離には、図６（ａ）に示す取り外し補助具（４０）を用いる。図６（ｂ）に示すように、使用者は、キャップ（４０ｈ）を外し、土台部（４０ｄ）に設けられた貫通孔（４０ｃ）に、そのキャップ（４０ｈ）を挿入する。前記キャップ（４０ｈ）は、先細り形状となっているため、前記の貫通孔（４０ｃ）を貫通しない。そのため、土台部（４０ｄ）とキャップ（４０ｈ）とで略十字形をなし、これが前記の取り外し補助具（４０）の持ち手部（４０ｉ）を構成する。
【００２９】
使用者は、持ち手部（４０ｉ）を握り、嵌合部（４０ｅ）の一端を、アウトソール（２０）の凹部（ｋ）に挿し、結束具（３０）のバックル部（３０ｅ）に押し当てる。このとき、嵌合部（３０ｅ）の四辺がバックル部（３０ｅ）の周縁を囲む。使用者が、前記の持ち手部（４０ｉ）をねじることで、前記の嵌合部（４０ｅ）もねじれ、バックル部（３０ｅ）を周回していたバンド部（３０ｄ）が千切れて結束状態が解かれるので、結束具（３０）を外すことができる。  これにより、前記の結束具（２０）が外れる。そして、靴本体（１０）とアウトソール（２０）とは、面ファスナー（１２および２２）の引きはがしによって、分離することができる。
以上により、アウトソール（２０）の取り外しも容易にできるアウトソール着脱靴となった。
【００３０】
なお、結束具（３０）の切断は、上述の取り外し補助具（４０）を用いずに、たとえばカッターナイフなど市販の切断具を用いてもよい。
また、取り外し補助具（４０）の嵌合部（４０ｅ）の先端を鋭利な刃物として形成しておき、キャップ（４０ｈ）を回転させてねじるのではなく、嵌合部（４０ｅ）にてバンド部（３０ｄ）を切断することとしてもよい。
【産業上の利用可能性】
【００３１】
本発明は、釣りや登山などの運動またはレジャー、調理・工事・清掃等の作業現場においても使用できる靴の製造業、靴のレンタル業、靴のメンテナンス業などにおいて、利用可能性を有する。
【符号の説明】
【００３２】
５０    靴
ａ    アウトソールの貫通孔
１０    靴本体
１１    アッパー部                １１ａ  貫通孔
１１ｂ  アッパー部底面の外部
１２    フック面の面ファスナー    １２ａ  貫通孔
１３    バンド保持具              １３ｃ  貫通孔
１３ｄ  胴部                      １３ｅ  頭部
１４    閉じ蓋
２０    アウトソール
２２    ループ面の面ファスナー    ２２ａ  貫通孔
２３    アウトソール上層          ２３ａ  貫通孔
２４    アウトソール下層          ２４ａ  貫通孔
２４ｂ  接地面
２５    板部材                    ２５ａ  貫通孔
２５ｆ  溝                        ２５ｇ  貫通孔
２６    金属ピン
３０    結束具                    ３０ｅ    バックル部
３０ｄ  バンド部
４０    取り外し補助具          ４０ｃ    貫通孔
４０ｄ  土台部                  ４０ｅ    嵌合部
４０ｈ  キャップ                ４０ｉ    持ち手部
【図１】
0005808291.tif 000002
【図２】
0005808291.tif 000003
【図３】
0005808291.tif 000004
【図４】
0005808291.tif 000005
【図５】
0005808291.tif 000006
【図６】
0005808291.tif 000007
【図７】
0005808291.tif 000008